(57)【要約】【課題】光源を使用しないときはもとより、光源で内部から照らしたときに、表示部をくっきりと浮き出させ、高い視認性を実現することができる提灯を提供する。【解決手段】線材をスパイラル状に巻回して長手方向に伸縮自在な中空骨格部と、これの外面に赤色または黄色に色付けしたシートを貼着した胴部を備え、胴部に黒色の塗料で所望の文字列、図形、記号あるいはそれらの組み合わせからなる表示部を施した提灯であって、前記表示部の周りに所要幅の白色縁取りを設け、さらに白色縁取りの外周に沿って黒色の線書きアウトラインを設けた。【選択図】図１
0003141497.tif 000002
【実用新案登録請求の範囲】
【請求項１】
線材をスパイラル状に巻回して長手方向に伸縮自在な中空骨格部と、これの外面に赤色、黄色、青色または緑色に色付けしたビニール生地を貼着した胴部を備え、胴部に黒色の塗料で所望の文字列、図形、記号あるいはそれらの組み合わせからなる表示部を施した提灯であって、前記表示部の周りに所要幅の白色縁取りを設け、さらに白色縁取りの外周に沿って黒色の線書きアウトラインを設けたことを特徴とする提灯。
【考案の詳細な説明】
【技術分野】
【０００１】
本考案は提灯とりわけ地を赤色、黄色、青色または緑色などに着色した提灯に関する。
【背景技術】
【０００２】
提灯は我国おいて古くから利用されている灯具であり、竹ひごや細いプラスチック線をスパイラルの骨格材とした中空状体に紙を張った構造をなし、非使用時には小さく折り畳むことができ、使用時には骨格材の間隔を広げて筒状あるいは球状にし、内部にろうそくや電球などの光源を位置させることで明かりとする。
【０００３】
前記明かりはのどかさや温かみやがあり、郷愁を誘うことから民芸品として、外国人などに好まれているほか、居酒屋、ラーメン店などの飲食関係の店舗においては、自慢の商品を示して顧客を吸引する手段として大いに利用されている。
【０００４】
こうした店舗用の提灯は、通常、注意を引くために長手方向で伸縮自在な胴部を赤色、黄色、青色または緑色などの地色とし、それに黒色の文字、図柄、あるはそれらの組み合わせなど所望の表示部を手書きや印刷していた。
【０００５】
これは提灯内で光源を点灯しない状態では、黒と赤との対比でそれなりの視認効果が得られるが、光源を点灯したときには両者が濃い色味で光線の透過性が悪いので，表示部がはっきりしないという問題があった。
【０００６】
この対策として、従来では、図３のように表示部この例では赤色の地色１０に「ラーメン」の文字列１１を黒色で表し、この黒色文字列１１の各文字１１０の周りを白色の帯で縁取り１２した構成としていた。
【０００７】
この構成は、光源を点灯しない状態では、白い縁取り１２が黒色文字１１０の周りを囲繞して赤色の地１０につながっているので、コントラストによって文字列が目立ち、視認性が良好なものとなる。
しかし、内部の光源を点灯したときには、白色の縁取り１２と赤色の地１０の境界が判然としなくなり、白色の縁取り１２がぼやけて見え、文字列１１がはっきりとしなくなる問題があった。この問題は、縁取りを蛍光塗料などの発光性のあるもので形成しても同じであった。
【特許文献１】実開平１−１１１４０４号公報
【考案の開示】
【考案が解決しようとする課題】
【０００８】
本考案は前記のような問題点を解消するためになされたもので、その目的とするところは、光源を使用しないときはもとより、光源で内部から照らしたときに、表示部をくっきりと浮き出させ、高い視認性を実現することができる提灯を提供することにある。
【課題を解決するための手段】
【０００９】
上記目的を達成するため本考案は、線材をスパイラル状に巻回して長手方向に伸縮自在な中空骨格部と、これの外面に赤色、黄色、青色または緑色に色付けしたビニール生地を貼着した胴部を備え、胴部に黒色の塗料で所望の文字列、図形、記号あるいはそれらの組み合わせからなる表示部を施した提灯であって、前記表示部の周りに所要幅の白色縁取りを設け、さらに白色縁取りの外周に沿って黒色の線書きアウトラインを設けたことを特徴としている。
【考案の効果】
【００１０】
本考案によるときには、赤色、黄色、青色または緑色の胴部に黒色の表示部を施しその表示部を白色で縁取りするだけでなく、その白色縁取りの外縁を黒色の線書きアウトラインで縁取りしているので、内部に光源を入れない昼間においても黒色の標示部が浮き彫り状態となり、視認性をよいものとなしえるが、特に胴部内に光源を入れて照らしたときに、白色縁取りが黒色の線書きで囲まれているので、白色縁取りのぼやけるのが防止され、黒色の表示部を構成する文字や図形などの輪郭がくっきりと浮き上がり、良好な表示機能を発現することができるというすぐれた効果が得られる。
【実施例１】
【００１１】
以下添付図面を参照して本考案の実施例を説明する。
図１と図２は本考案による提灯の一実施例を示しており、１は竹、針金、プラスチックなどの線材１０をスパイラル状に巻回して長手方向に伸縮自在に構成された中空骨格部、２は胴部であり、前記中空骨格部１の外面に、赤色、黄色、青色または緑色に色付けしたビニール生地を貼着して構成されている。
それらの全体形状は、円筒状、球状、俵状、箱状など任意であり、中空骨格部１の上端と下端には上枠３と下枠４がそれぞれ設けられている。
【００１２】
前記赤色、黄色、青色または緑色の胴部２には、所望の文字列、図形、記号あるいはそれらの組み合わせからなる表示部５が黒色の塗料で施されている。この実施例では「か」「ら」「揚」げ」の４つの文字５０、５１、５２、５３と、短冊状の白地図形５aで囲まれた「特製」の文字５４からなっている。
【００１３】
前記表示部５の「か」「ら」「揚」げ」の４つの文字５０、５１、５２、５３は、それぞれの文字の輪郭に沿って所要幅の白色縁取り６（６０，６１，６２，６３）が設けられている。
これらの白色縁取り６は適度の透光性を有していることが好ましいので、白色の塗料を塗布する場合のほか、胴部２のビニール生地の要部をあらかじめ赤色、黄色、青色または緑色に色付けしないでおくような方法で形成しておく。白色の塗料は、ラッカーなど通常のもののほか、蛍光塗料、蓄光塗料などであってもよい。
【００１４】
そして本考案は、前記白色縁取り６の外縁に沿って、黒色の線書きアウトライン７（７０，７１，７２，７３）を設けており、該黒色線書きアウトライン７の外縁は赤色、黄色、青色または緑色の胴部２に隣接している。
【００１５】
本考案の提灯は、以上のように赤色、黄色、青色または緑色を地色とする胴部２に描いた黒色の表示部５を取り囲むように白色縁取り６を設けるだけでなく、この白色縁取り６の外輪郭を黒色の線書きアウトライン７で囲んでいるので、白色縁取り６がくっきりと浮き出て、表示部５を強調することができ、また、特に胴部２内に光源を入れて内部から照らしたときに、白色縁取り６が黒色の線書きアウトライン７を介して赤色、黄色、青色または緑色の胴部２に隣接しているので、白色縁取り６がぼやけず、表示部５の輪郭をくっきりと浮き出させることができる。
【図面の簡単な説明】
【００１６】
【図１】本考案による提灯の一実施例を示す斜視図である。
【図２】実施例の部分的断面図である。
【図３】従来の提灯の斜視図である。
【符号の説明】
【００１７】
１  中空骨格部
２  胴部
５  表示部
６  白色縁取り
７  黒色の線書きアウトライン
【図１】
0003141497.tif 000003
【図２】
0003141497.tif 000004
【図３】
0003141497.tif 000005